(57)【要約】【課題】順次検出されるログ情報のうち、指定されたログ情報を簡単に識別する。【解決手段】  被試験端末３との間で通信情報を送受信する擬似基地局部８と、通信情報のログ情報１３を順次検出するログ情報検出部９と、複数のログ情報をトレース情報１４として記憶するトレース情報メモリと２６、複数のログ情報を表示する表示器６とを備えた擬似基地局装置１において、少なくとも一部のログ情報に含まれる抽出情報を指定する抽出情報指定手段２１と、トレース情報から指定した抽出情報を有するログ情報を抽出するログ情報抽出手段７０と、表示器に表示されたトレース情報を構成する複数のログ情報のうちログ情報抽出手段で抽出されたログ情報に対してフィルタマーカを付加するフィルタマーカ表示手段７０，２７とを備えている。【選択図】      図２
2006174173.tif 000002
【特許請求の範囲】
【請求項１】
被試験端末（３）との間で各種の通信情報を送受信する擬似基地局部（８）と、この擬似基地局部と前記被試験端末との間で順次送受信される各通信情報のログ情報（１３）を順次検出するログ情報検出部（９）と、このログ情報検出部で順次検出される複数のログ情報をトレース情報（１４）として記憶保持するトレース情報メモリ（２６）と、このトレース情報メモリに記憶されたトレース情報を構成する複数のログ情報を表示する表示器（６）とを備えた擬似基地局装置（１）において、
少なくとも一部のログ情報に含まれる抽出情報を指定する抽出情報指定手段（２１）と、
前記トレース情報から前記指定した抽出情報を有するログ情報を抽出するログ情報抽出手段（７０）と、
前記表示器に表示されたトレース情報を構成する複数のログ情報のうち前記ログ情報抽出手段で抽出されたログ情報に対してフィルタマーカ（３５，３７）を付加するフィルタマーカ表示手段（７０，２７）と
を備えたことを特徴とする擬似基地局装置。
【請求項２】
前記各ログ情報は、それぞれ内容を文字情報で表す複数の項目を有し、
前記抽出情報指定手段は、前記複数の項目のうちの少なくとも１つを指定すると共に、この指定した項目に対応した抽出すべき文字情報を、前記抽出情報として指定可能であり、
前記ログ情報抽出手段は、前記トレース情報から前記抽出情報指定手段で指定された項目に対して前記抽出情報として指定された文字情報を含むログ情報を抽出する
ことを特徴とする請求項１記載の擬似基地局装置。
【請求項３】
前記各ログ情報は、それぞれ内容を情報種別で表す１以上の項目を有し、
前記抽出情報指定手段は、前記１以上の項目のうちの少なくとも１つを指定すると共に、この指定した項目に対応した抽出すべき情報種別を、前記抽出情報として指定可能であり、
前記ログ情報抽出手段は、前記トレース情報から前記抽出情報指定手段で指定された項目に対して前記抽出情報として指定された種別情報を含むログ情報を抽出する
ことを特徴とする請求項１記載の擬似基地局装置。
【請求項４】
前記フィルタマーカ表示手段で前記ログ情報に対して付加されたフィルタマーカの表示色を指定する色指定手段（３２）を備えた
ことを特徴とする請求項１から３のいずれか１項記載の擬似基地局装置。
【請求項５】
前記抽出情報指定手段は複数種類の抽出情報を指定可能とし、
前記色指定手段は、抽出情報の種類に応じて前記ログ情報に対して付加されたフィルタマーカの表示色を指定する
ことを特徴とする請求項４項記載の擬似基地局装置。
【請求項６】
前記抽出情報指定手段は複数種類の抽出情報を指定可能であり、
前記フィルタマーカ表示手段は、同一のログ情報に複数のフィルタマーカが重複付加されるとき、該当ログ情報のフィルタマーカの表示色を重複したことが識別可能なように変更する
ことを特徴とする請求項４又は５記載の擬似基地局装置。
【請求項７】
前記色指定手段は、前記抽出情報の種類に応じて前記ログ情報に対して付加されるフィルタマーカの表示色の優先順位を設定可能であり、
前記フィルタマーカ表示手段は、同一のログ情報に複数の抽出情報のフィルタマーカが重複付加されるとき、優先順位の高い表示色を指定する
ことを特徴とする請求項５記載の擬似基地局装置。
【請求項８】
被試験端末（３）との間で各種の通信情報を送受信する擬似基地局部（８）と、この擬似基地局部と前記被試験端末との間で順次送受信される各通信情報のログ情報（１３）を順次検出するログ情報検出部（９）と、このログ情報検出部で順次検出される複数のログ情報をトレース情報（１４）として記憶保持するトレース情報メモリ（２６）と、このトレース情報メモリに記憶されたトレース情報を構成する複数のログ情報を表示する表示器（６）とを備えた擬似基地局装置（１）において、
外部挿入指示に応じて、前記ログ情報検出部で順次検出され前記トレース情報メモリに書き込まれるログ情報相互間にトリガマーカ（３９，４２）をログ情報の一種として挿入するトリガマーカ挿入手段（１１）と、
前記表示器に表示されたトレース情報を構成する複数のログ情報のうちトリガマーカのログ情報を識別表示するトリガマーカ識別表示手段（３２，２７）と
を備えたことを特徴とする擬似基地局装置。
【請求項９】
前記トリガマーカ識別表示手段は、トリガマーカのログ情報を当該トリガマーカに指定された色で表示する
ことを特徴とする請求項８記載の擬似基地局装置。
【請求項１０】
前記外部挿入指示は、前記擬似基地局部が前記被試験端末との間で各種の通信情報を送受信するための手順を示すシナリオに記載された指示である
ことを特徴とする請求項８又は９記載の擬似基地局装置。
【請求項１１】
前記外部挿入指示は、挿入キー操作に基づく指示である
ことを特徴とする請求項８又は９記載の擬似基地局装置。
【請求項１２】
前記トレース情報を構成する複数のログ情報のうち２つのログ情報を指定するログ情報指定手段（４８，４９ｃ）と、
このログ情報指定手段で指定された２つのログ情報相互間の経過時間を、各ログ情報内に組み込まれた当該ログ情報の発生時刻を用いて算出する経過時間算出手段（５８）と
を備えたことを特徴とする請求項１から１１のいずれか１項記載の擬似基地局装置。
【請求項１３】
前記トレース情報を構成する複数のログ情報のうち２つのログ情報を指定するログ情報指定手段（４８，６２）と、
このログ情報指定手段で指定された２つのログ情報相互間に存在する全てのログ情報を記憶保持する指定ログ情報記憶保持手段（６０）と
を備えたことを特徴とする請求項１から１１のいずれか１項記載の擬似基地局装置。
【請求項１４】
被試験端末（３）との間で各種の通信情報を送受信する擬似基地局部（８）と、この擬似基地局部と前記被試験端末との間で順次送受信される各通信情報のログ情報（１３）を順次検出するログ情報検出部（９）と、このログ情報検出部で順次検出される複数のログ情報をトレース情報（１４）として記憶保持するトレース情報メモリ（２６）と、このトレース情報メモリに記憶されたトレース情報を構成する複数のログ情報を表示する表示器（６）とを備えた擬似基地局装置のマーカ表示方法において、
少なくとも一部のログ情報に含まれる抽出情報を指定する抽出情報指定ステップと、
前記トレース情報から前記指定した抽出情報を有するログ情報を抽出するログ情報抽出ステップと、
前記表示器に表示されたトレース情報を構成する複数のログ情報のうち前記ログ情報抽出ステップで抽出されたログ情報に対してフィルタマーカ（３５，３７）を付加するフィルタマーカ表示ステップと、
前記フィルタマーカ表示ステップで前記ログ情報に対して付加されたフィルタマーカを指定された表示色で色付けするフィルタマーカ色付けステップと
を備えたことを特徴とする擬似基地局装置のマーカ表示方法。
【請求項１５】
被試験端末（３）との間で各種の通信情報を送受信する擬似基地局部（８）と、この擬似基地局部と前記被試験端末との間で順次送受信される各通信情報のログ情報（１３）を順次検出するログ情報検出部（９）と、このログ情報検出部で順次検出される複数のログ情報をトレース情報（１４）として記憶保持するトレース情報メモリ（２６）と、このトレース情報メモリに記憶されたトレース情報を構成する複数のログ情報を表示する表示器（６）とを備えた擬似基地局装置のマーカ表示方法において、
前記擬似基地局部が前記被測定端末との間で各種の通信情報を送受信するための手順を制御する測定制御部からの挿入指示に応じて、前記ログ情報検出部で順次検出され前記トレース情報メモリに書き込まれるログ情報相互間にトリガマーカ（３９，４２）をログ情報の一種として挿入するトリガマーカ挿入ステップと、
前記表示器に表示されたトレース情報を構成する複数のログ情報のうちトリガマーカのログ情報を識別表示するトリガマーカ識別表示ステップと
を備えたことを特徴とする擬似基地局装置のマーカ表示方法。
【発明の詳細な説明】
【技術分野】
【０００１】
本発明は、携帯電話等の移動端末が正常に動作するか否かを試験する擬似基地局装置に係わり、特に、被試験端末としての移動端末との間で送受信される各種の通信情報のログ情報を検出してトレース情報として表示器に表示する機能を有した擬似基地局装置、及びこの擬似基地局装置の表示器に表示されたログ情報に対してマーカを付加する擬似基地局装置のマーカ付加方法に関する。
【背景技術】
【０００２】
携帯電話等の移動端末を新たに開発した場合、この開発した移動端末が実際に使用される環境で正常に動作するか否かを試験する必要がある。しかし、この新規に開発された移動端末と既に稼働中の実際の基地局との間で各種の試験用の通信情報を送受信して、この新規に開発された移動端末が正常に動作するか否かを試験することは非常に困難である。
【０００３】
そこで、この新規に開発された移動端末を、内部に実際の基地局の機能を有した擬似基地局部が組み込まれた擬似基地局装置に接続して、移動端末と擬似基地局部との間で各種の通信情報を送受信して、新規に開発された移動端末が正常に動作するか否かの試験を実施している。
【０００４】
このような移動端末、すなわち被試験端末の動作を試験する擬似基地局装置の試験項目の１つとして、被試験端末としての移動端末と擬似基地局部との間で送受信される各種の通信情報のログ情報を検出してトレース情報として表示器に表示するトレース機能がある。このように、通信情報の詳細な時系列的な複数のログ情報をトレース情報として表示出力することによって、被試験端末が正常に動作しなかった場合における異常の発生要因の究明が容易になる。
【０００５】
このようなトレース機能を有した移動体端末の試験装置が特許文献１に提案されている。
【特許文献１】欧州特許出願公開第ＥＰ１３５５５０４Ａ１号公報
【発明の開示】
【発明が解決しようとする課題】
【０００６】
一般に、被試験端末に対する試験項目は多岐に亘るので、被試験端末と擬似基地局部との間で試験用に送受信される通信情報は膨大は数になり、この通信情報のログ情報も膨大な数となる。しかしながら、上述した移動体端末の試験装置においては、試験用に送受信される通信情報の膨大なログ情報を時系列的に出力するのみであるので、被試験端末が正常に動作しなかった場合における異常とみなされるログ情報を簡単に特定できない。
【０００７】
また、移動端末の開発段階においては、被試験端末と擬似基地局部との間で試験用に送受信される多くの通信情報のなかの特定の通信情報に着目して、当該通信情報がどのようなものであるかをログ情報で確認するようにしている。このような状況においても、出力された膨大な数のログ情報から目的とするログ情報を短時間に抽出する作業は、たとえ、この試験装置の操作に慣れた技術者にとっても煩雑であり、長時間を有する。
【０００８】
本発明はこのような事情に鑑みてなされたものであり、表示器に表示されたトレース情報を構成する複数のログ情報の中から必要なログ情報を簡単に確認することができ、さらに異常のログ情報を簡単に特定でき、また被試験端末に対する試験作業効率を大幅に向上できる擬似基地局装置、及び擬似基地局装置のマーカ表示方法を提供することを目的とする。
【０００９】
さらに、上述した目的に加えて、必要に応じて、任意に指定したログ情報相互間にトリガマーカをログ情報の一種として挿入することができ、被試験端末に対する試験作業効率をより一層向上できる擬似基地局装置、及び擬似基地局装置のマーカ表示方法を提供することを目的とする。
【課題を解決するための手段】
【００１０】
上記課題を解消するために、本発明は、被試験端末との間で各種の通信情報を送受信する擬似基地局部と、この擬似基地局部と被試験端末との間で順次送受信される各通信情報のログ情報を順次検出するログ情報検出部と、このログ情報検出部で順次検出される複数のログ情報をトレース情報として記憶保持するトレース情報メモリと、このトレース情報メモリに記憶されたトレース情報を構成する複数のログ情報を表示する表示器とを備えた擬似基地局装置において、
少なくとも一部のログ情報に含まれる抽出情報を指定する抽出情報指定手段と、トレース情報から指定した抽出情報を有するログ情報を抽出するログ情報抽出手段と、表示器に表示されたトレース情報を構成する複数のログ情報のうちログ情報抽出手段で抽出されたログ情報に対してフィルタマーカを付加するフィルタマーカ表示手段とを備えている。
【００１１】
このように構成された擬似基地局装置においては、予めログ情報に含まれる抽出情報を指定しておけば、表示器に表示されたトレース情報を構成する複数のログ情報のうち指定された抽出情報が含まれるログ情報にフィルタマーカが付加される。
【００１２】
したがって、注目したい１個又は複数のログ情報が共通に有する抽出情報を指定しておけば、注目すべき各ログ情報が、フィルタマーカが付された状態で表示器に表示出力されるので、表示器に表示されたトレース情報を構成する複数のログ情報の中から必要なログ情報を簡単に確認することができる。
【００１３】
また、別の発明は、上述した発明の擬似基地局装置における各ログ情報はそれぞれ内容を文字情報で表す複数の項目を有する。また、抽出情報指定手段は、複数の項目のうちの少なくとも１つを指定すると共に、この指定した項目に対応した抽出すべき文字情報を、前記抽出情報として指定可能である。さらに、ログ情報抽出手段は、トレース情報から抽出情報指定手段で指定された項目に対して前記抽出情報として指定された文字情報を含むログ情報を抽出する。
【００１４】
このように構成された擬似基地局装置においては、各ログ情報は複数の項目で構成され、さらに各項目内には各ログ情報毎に内容を示す文字情報が組み込まれている。そして、最終的に文字情報を指定すると、この文字情報が含まれるログ情報が、フィルタマーカが付された状態で表示器に表示出力される。
【００１５】
また、別の発明は、上述した発明の擬似基地局装置における各ログ情報はそれぞれ内容を情報種別で表す１以上の項目を有する。また、抽出情報指定手段は、前記１以上の項目のうちの少なくとも１つを指定すると共に、この指定した項目に対応した抽出すべき情報種別を、前記抽出情報として指定可能である。ログ情報抽出手段は、トレース情報から前記抽出情報指定手段で指定された項目に対して前記抽出情報として指定された種別情報を含むログ情報を抽出する。
【００１６】
このように構成された擬似基地局装置においては、各ログ情報は１以上の項目で構成され、さらに各項目内には各ログ情報毎に内容を示す情報種別が組み込まれている。そして、最終的に情報種別を指定すると、この情報種別が含まれるログ情報が、フィルタマーカが付された状態で表示器に表示出力される。
【００１７】
また、別の発明は、上述した発明の擬似基地局装置に対して、さらに、フィルタマーカ表示手段でログ情報に対して付加されたフィルタマーカの表示色を指定する色指定手段を付加している。
【００１８】
このように構成された擬似基地局装置においては、ログ情報に対して付加されたフィルタマーカを、ログ情報の表示色と異なる色で表示することが可能であるので、目的とするログ情報をより簡単に識別できる。
【００１９】
また、別の発明は、上述した発明の擬似基地局装置における抽出情報指定手段は複数種類の抽出情報を指定可能である。そして、色指定手段は、抽出情報の種類に応じてログ情報に対して付加されたフィルタマーカの表示色を指定する。
【００２０】
このように構成された擬似基地局装置においては、表示されたログ情報は抽出情報の種類毎に異なる色のフィルタマーカが付されるので、より見やすくなる。
【００２１】
また、別の発明は、上述した発明の擬似基地局装置における抽出情報指定手段は複数種類の抽出情報を指定可能である。そして、フィルタマーカ表示手段は、同一のログ情報に複数のフィルタマーカが重複付加されるとき、該当ログ情報のフィルタマーカの表示色を重複したことが識別可能なように変更する。
【００２２】
このように構成された擬似基地局装置においては、同一のログ情報に複数のフィルタマーカが重複付加されるとき、該当ログ情報のフィルタマーカの表示色が重複したことが識別可能なように変更されるので、より見やすくなる。
【００２３】
また、別の発明は、上述した発明の擬似基地局装置における抽出情報指定手段は抽出情報の種類に応じてログ情報に対して付加されるフィルタマーカの表示色の優先順位を設定可能である。また、フィルタマーカ表示手段は、同一のログ情報に複数の抽出情報のフィルタマーカが重複付加されるとき、優先順位の高い表示色を指定する。
【００２４】
このように構成された擬似基地局装置においては、同一のログ情報に複数のフィルタマーカが重複付加されるとき、予め定められた優先順位の高い表示色のフィルタマーカが当該ログ情報に付加される。したがって、重要な種類の抽出情報に優先順位の高い表示色を割り付けることによって、重要なログ情報を確実に認識できる。
【００２５】
また、別の発明は、上述した擬似基地局装置において、外部挿入指示に応じて、ログ情報検出部で順次検出されトレース情報メモリに書き込まれるログ情報相互間にトリガマーカをログ情報の一種として挿入するトリガマーカ挿入手段と、表示器に表示されたトレース情報を構成する複数のログ情報のうちトリガマーカのログ情報を識別表示するるトリガマーカ識別表示手段とを備えている。
【００２６】
このように構成された擬似基地局装置においては、必要に応じて、ログ情報検出部で順次検出される任意に指定したログ情報相互間にトリガマーカをログ情報の一種として挿入することが可能である。さらに、このトリガマーカのログ情報は他のログ情報に対して識別表示される。すなわち、被試験端末と擬似基地局部との間で順次送受信される各通信情報における任意位置にトリガマーカのログ情報を挿入して、この位置近傍のログ情報を表示画面上で簡単に検証できる。
【００２７】
また、別の発明は、上述した発明の擬似基地局装置におけるトリガマーカ識別表示手段は、トリガマーカのログ情報を当該トリガマーカに指定された色で表示する。
【００２８】
このように構成された擬似基地局装置においては、トリガマーカのログ情報が当該トリガマーカに指定された色で表示されるので、トリガマーカの位置をより簡単に把握できる。
【００２９】
また、別の発明は、上述した発明の擬似基地局装置における外部挿入指示は、前記擬似基地局部が被試験端末との間で各種の通信情報を送受信するための手順を示すシナリオに記載された指示である。このように、トリガマーカの挿入位置をシナリオ（通信手順、試験手順）で設定可能である。
【００３０】
また、別の発明は、上述した発明の擬似基地局装置における外部挿入指示は、挿入キー操作に基づく指示である。このように、トリガマーカの挿入位置をこの擬似基地局装置の操作者による挿入キーの操作タイミングで設定可能である。
【００３１】
また、別の発明は、上述した発明の擬似基地局装置に対して、さらに、トレース情報を構成する複数のログ情報のうち２つのログ情報を指定するログ情報指定手段と、このログ情報指定手段で指定された２つのログ情報相互間の経過時間を、各ログ情報内に組み込まれた当該ログ情報の発生時刻を用いて算出する経過時間算出手段とを付加している。
【００３２】
このように構成された擬似基地局装置においては、任意に指定した２つのログ情報相互間の経過時間が自動的に算出される。
【００３３】
また、別の発明は、上述した発明の擬似基地局装置に対して、さらに、トレース情報を構成する複数のログ情報のうち２つのログ情報を指定するログ情報指定手段と、このログ情報指定手段で指定された２つのログ情報相互間に存在する全てのログ情報を記憶保持する指定ログ情報記憶保持手段とを付加している。
【００３４】
このように構成された擬似基地局装置においては、任意に指定した２つのログ情報相互間のログ情報が記憶保持される。
【００３５】
また、別の発明は、被試験端末との間で各種の通信情報を送受信する擬似基地局部と、この擬似基地局部と被試験端末との間で順次送受信される各通信情報のログ情報を順次検出するログ情報検出部と、このログ情報検出部で順次検出される複数のログ情報をトレース情報として記憶保持するトレース情報メモリと、このトレース情報メモリに記憶されたトレース情報を構成する複数のログ情報を表示する表示器とを備えた擬似基地局装置のマーカ表示方法において、
少なくとも一部のログ情報に含まれる抽出情報を指定する抽出情報指定ステップと、トレース情報から指定した抽出情報を有するログ情報を抽出するログ情報抽出ステップと、表示器に表示されたトレース情報を構成する複数のログ情報のうちログ情報抽出ステップで抽出されたログ情報に対してフィルタマーカを付加するフィルタマーカ表示ステップと、フィルタマーカ表示ステップでログ情報に対して付加されたフィルタマーカを指定された表示色で色付けするフィルタマーカ色付けステップとを備えている。
【００３６】
このように構成された擬似基地局装置のマーカ表示方法においては、上述した発明の擬似基地局装置とほぼ同じ作用効果を奏することが可能である。
【００３７】
また、別の発明は、上述した擬似基地局装置のマーカ表示方法において、擬似基地局部が前記被測定端末との間で各種の通信情報を送受信するための手順を制御する測定制御部からの挿入指示に応じて、ログ情報検出部で順次検出されトレース情報メモリに書き込まれるログ情報相互間にトリガマーカをログ情報の一種として挿入するトリガマーカ挿入ステップと、表示器に表示されたトレース情報を構成する複数のログ情報のうちトリガマーカのログ情報を識別表示するるトリガマーカ識別表示ステップとを備えている。
【００３８】
このように構成された擬似基地局装置のマーカ表示方法においても、上述した発明の擬似基地局装置とほぼ同じ作用効果を奏することが可能である。
【発明の効果】
【００３９】
本発明においては、予め注目すべきログ情報の文字情報や情報種別等の抽出情報を登録しておき、この抽出情報を有するログ情報にマーカを自動付与して表示するようにしている。
【００４０】
したがって、表示器に表示されたトレース情報を構成する複数のログ情報の中から必要なログ情報を簡単に確認することができ、さらに異常のログ情報を簡単に特定でき、また被試験端末に対する試験作業効率を大幅に向上できる。
【００４１】
さらに、必要に応じて、ログ情報検出部で順次検出される任意に指定したログ情報相互間にトリガマーカをログ情報の一種として挿入することができ、被試験端末に対する試験作業効率をさらに向上できる。
【発明を実施するための最良の形態】
【００４２】
以下、本発明の一実施形態を図面を用いて説明する。
【００４３】
（実施例１）
図１は本発明の一実施形態に係わる擬似基地局装置のマーカ表示方法が適用される擬似基地局装置の接続図である。擬似基地局装置１は信号線２を介して例えば携帯電話からなる被試験端末３に接続されている。さらに、この擬似基地局装置１は信号線４を介して例えば波形観測装置等の外部装置５のトリガ出力端子に接続されている。この外部装置５は、信号線２に信号線６６で接続され、擬似基地局装置１と被試験端末３との通信における電気信号を観測可能である。
【００４４】
擬似基地局装置１は、組み込まれた擬似基地局が被試験端末３に対して試験を実施するためのシナリオ（通信手順、試験手順）の書き込み機能や、試験結果を解析する機能を有する。
【００４５】
図２は、擬似基地局装置１の概略構成を示すブロック図である。
【００４６】
例えば一種のコンピュータで構成された擬似基地局部８は、シナリオ（通信手順、試験手順）に従って信号線２を介して被試験端末３との間で各種の試験用の通信情報を送受信する。擬似基地局部８と被試験端末３との間で順次送受信される通信情報の各ログ情報はログ情報検出部９で順次検出されて、時計回路１０から供給される時刻（現在時刻、経過時刻等）がこのログ情報の取得時刻として付されて新たなログ情報としてマーカ挿入部１１へ入力される。
【００４７】
ここで、擬似基地局部８と被試験端末３との間で送受信される通信情報のログ情報を図３、図４を用いて説明する。図３は擬似基地局装置１の表示器６の基本的な表示画面を示す図である。表示画面には、７つの操作キー１２ａ〜１２ｇと、時系列的に配列された複数のログ情報１３からなるトレース情報１４とが表示される。
【００４８】
各ログ情報１３は、番号（シーケンス番号）１５、プリミティブ情報１６、プリミティブ種別１７、チャネル種別１８、メッセージ種別１９、取得時刻２０で構成される。さらに、プリミティブ情報１６は、「ＰＨＹ（Physical Layer  物理層）」１６ａ、「ＭＡＣ（Media Access Control Layer  メディアアクセスコントロール層）」１６ｂ、ＲＬＣ（Radio Link Control  ラジオリンクコントロール層）」１６ｃ、「ＴＥ（Terminal Equipment  ターミナルイクイプトメント層）」１６ｄ、「ＲＲＣ（Radio Resource Control  ラジオリソースコントロール層）」１６ｅの５つの階層（レイヤ）１６ａ〜１６ｅの間での情報の流れを示している。
【００４９】
図４は、擬似基地局部８における階層（レイヤ）構成図である。ＲＲＣ１６ｅは、この擬似基地局部８と被試験端末３との間におけるデータリンクの確立と開放とを行う。ＲＬＣ１６ｃは、この擬似基地局部８と被試験端末３との間におけるフロー制御、再送制御を行う。ＴＥ１６ｄは、擬似基地局部８と被試験端末３との間におけるデータリンクが確立された後に送受信される例えば音声データ等の実際のデータである。ＭＡＣ１６ｂは、ＲＲＣ１６ｅ、ＲＬＣ１６ｃ、ＴＥ１６ｄの上位層とＰＨＹ１６ａの下位層間におけるデータ変換を実施する。ＰＨＹ１６ａは、被試験端末３との間で送受信されるデータを、無線区間を通信できるように変調し、さらに復調する。
【００５０】
７つの操作キーとして、開始（Start）キー１２ａ、停止（Stop）キー１２ｂ、マーカ設定（Marker Setup）キー１２ｃ、挿入（Insert）キー１２ｄ、ジャンプ（Jump）キー１２ｅ、フィルタ（Filter）キー１２ｆ、マーカリスト（Marker List）キー１２ｇが設けられている。
【００５１】
図２において、フィルタマーカ設定部２１は、操作部７を介した試験実施者の指示に基づいて、少なくとも一部のログ情報１３に含まれる、プリミティブ情報１６、プリミティブ種別１７、チャネル種別１８、メッセージ種別１９等の各項目の内容（文字情報、種別等）を抽出情報として設定して、マーカメモリ２２に書き込むと共に、フィルタマーカ付加部７０へ送出する。マーカメモリ２２には、フィルタマーカ設定部２１にて設定された内容に基づいて図２７に例示した参照テーブル７１が作成される。
【００５２】
フィルタマーカ付加部７０は、フィルタマーカ設定部２１により設定されたマーカメモリ２２に作られた図２７に例示した参照テーブル７１の内容に基づき、トレース情報メモリ２６からのログ情報１３に対し、参照テーブル７１に設定された条件との比較を行い、一致するログ情報１３に対して参照テーブル７１に設定された色でマーカを付加し、表示編集部２７を介して表示器６に表示する。
【００５３】
この機能により、トレース情報メモリ２６に記憶されたログ情報１３に直接フィルタマーカ３５を付加することなく、表示器６上にフィルタマーカ３５を付加した状態でトレース情報１４を表示できる。従って、既にログ情報１３を取得し、トレース情報メモリ２６に記憶されたトレース情報に対して、フィルタマーカ３５を付加する条件を変更して(変更された参照テーブル７１を用いて)フィルタマーカ３５を付加しなおすことも可能である。
【００５４】
また、マーカメモリ２２は複数の参照テーブル７１を記憶可能であり、フィルタマーカ設定部２１からマーカメモリ２２に予め設定し記憶された参照テーブル７１を選択することで、表示器６に表示されるトレース情報１４のフィルタマーカ３５を付加する条件を容易に変更できる。
【００５５】
なお、フィルタマーカ付加部７０、マーカメモリ２２はトレース情報メモリ２６内に組み込むことも可能である。
【００５６】
トリガマーカ設定部２３は、挿入指示入力部２４又はシナリオ要求入力部２５からトリガマーカの挿入指示が入力された時点で、マーカ挿入部１１へトリガマーカの挿入指示を送出する。
【００５７】
シナリオ要求入力部２５は、設定されているシナリオ（通信手順、試験手順）に従って被試験端末３との間で各種の通信信号を授受している過程で、シナリオ（通信手順、試験手順）に書き込まれている「トリガマーカの挿入指示」を検出すると、トリガマーカの挿入指示をトリガマーカ設定部２３へ送出する。
【００５８】
挿入指示入力部２４は、操作部７を介した試験実施者の表示器６の挿入キー１２ｄのクリック操作、又は外部装置５から信号線４を介して入力されたトリガマーカの挿入指示をトリガマーカ設定部２３へ送出する。
【００５９】
外部装置５は、例えば、信号線２の電気信号を観察する留波形観察装置等であり、信号入力時のトリガ出力などでトリガマーカの挿入指示とできる。
【００６０】
マーカ挿入部１１は、トリガマーカ設定部２３からトリガマーカの挿入指示が入力されると、この時点でログ情報検出部９から入力されているログ情報１３の次にこのトリガマーカをログ情報の一種として挿入する。挿入されたトリガマーカをログ情報１３もトレース情報メモリ２６に書き込む。
【００６１】
トレース情報メモリ２６に順次書き込まれた複数のログ情報１３はトレース情報１４として、表示編集部２７で編集されたのち、表示器６に表示出力される。
【００６２】
（実施例２）
次に、フィルタマーカ設定部２１の具体的動作を図６、図７、図８、図５を用いて説明する。この擬似基地局装置１を操作する被試験端末３の試験者が、図６に示す表示器６の表示画面のマーカ設定キー１２ｃをクリックすると、任意文字列入力型のフィルタマーカ設定画面２９がウインドウ表示される。このフィルタマーカ設定画面２９には、ログ情報１３に含まれる前述したプリミティブ種別１７、チャネル種別１８、メッセージ種別１９の各項目をドロップダウン方式で選択する検索項目選択部３０と、この検索項目選択部３０で選択された各項目の内容を示す抽出情報としての文字情報を入力するための文字列入力部３１と、ログ情報１３に付加されたフィルタマーカの表示色をドロップダウン方式で選択する色選択部３２とが設けられている。
【００６３】
なお、検索項目選択部３０においては複数の項目が選択可能であり、文字列入力部３１および色選択部３２においては、選択した項目毎に文字列、表示色を、入力、選択が可能である。
【００６４】
図６の例においては、検索項目としてプリミティブ種別１７が選択され、文字情報として、「ＰＨＹ ＤＡＴＡ ＲＥＱ」が入力され、色として赤（Red）が選択されている。このように、最終の抽出情報として、プリミティブ種別１７の「ＰＨＹ ＤＡＴＡ ＲＥＱ」の文字情報が指定されると、図５に示すように、プリミティブ種別１７に「ＰＨＹ ＤＡＴＡ ＲＥＱ」の文字情報が含まれる各「３０３」、「３０７」の番号のログ情報１３に赤色のフィルタマーカ３５が付される。
【００６５】
さらに、擬似基地局装置１を操作する被試験端末３の試験者は、フィルタマーカ設定画面２９表示中に図７に示す表示器６の表示画面のマーカ設定キー１２ｃを再度クリックすると、情報種別選択型のフィルタマーカ設定画面３３がウインドウ表示される。この情報種別選択型のフィルタマーカ設定画面３３は、プリミティブ種別１７、チャネル種別１８、メッセージ種別１９の各項目毎に設けられ、試験者が１つのフィルタマーカ設定画面３３を選択する。この情報種別選択型のフィルタマーカ設定画面３３には、予めログ情報１３に含まれると予想される複数の情報種別（図７においてはメッセージ種別）３４、指定ｂｏｘ３６、色選択部３２が設けられている。
【００６６】
図７においては、項目としてメッセージ種別１９が選択され、メッセージ種別として、「ＲＡＤＩＯ  ＢＥＡＲＥＲ  ＳＥＴＵＰ」が選択され、色として緑（Green）が選択されている。このように、最終の抽出情報として、メッセージ種別１９の「ＲＡＤＩＯ  ＢＥＡＲＥＲ  ＳＥＴＵＰ」が指定されると、図５に示すように、メッセージ種別１９に「ＲＡＤＩＯ  ＢＥＡＲＥＲ  ＳＥＴＵＰ」が含まれる各ログ情報１３に緑色のフィルタマーカ３７が付される。
【００６７】
図８は、フィルタマーカ設定部２１で設定されたフィルタマーカ３５、３７を各ログ情報１３に付加するときのこの擬似基地局装置１の全体の処理操作を示す流れ図である。
【００６８】
先ず、マーカ設定キー１２ｃをクリックして、上述した手法で各フィルタマーカの付加条件（抽出情報）を設定する（ステップＳ８０１）。
【００６９】
次に開始キー１２ａを押（クリック）して（Ｓ８０２）、トレース情報１４の取得を開始して（Ｓ８０３）、このトレース情報１４に含まれるログ情報１３を取得し、トレース情報メモリ２６に記憶すると共に、フィルタマーカ付加部７０に出力する（Ｓ８０４）。取得したログ情報１３がフィルタマーカの付加条件（抽出情報）に合致すると（Ｓ８０５）、取得したログ情報１３に指定された色のフィルタマーカ３５、３７を付加する（Ｓ８０６）。
【００７０】
表示器６に同時に表示可能なトレース情報１４のログ情報１３数には限界があるので、最も新しい規定数のログ情報１３で、表示器６に表示されているトレース情報１４を更新する（Ｓ８０７）。
【００７１】
停止キー１２ｂが押（クリック）されないと（Ｓ８０８）、Ｓ８０４に戻り、次のログ情報１３を取得する。停止キー１２ｂが押（クリック）されると（Ｓ８０８）、ログ情報１３の取得を停止する（Ｓ８０９）。
【００７２】
このように、予めログ情報１３に含まれる項目の内容を示す種別や文字列等の抽出情報、および表示色を設定画面を用いて指定しておけば、表示器６に表示されたトレース情報１４を構成する複数のログ情報１３のうち指定された抽出情報が含まれるログ情報１３に指定された色のフィルタマーカ３５、３７が付加される。
【００７３】
したがって、注目したい１個又は複数のログ情報１３が共通に有する抽出情報（文字情報、種別）を指定しておけば、注目すべき各ログ情報１３が指定された色のフィルタマーカ３５、３７が付された状態で表示器６に表示出力されるので、表示器６に表示されたトレース情報１４を構成する複数のログ情報１３の中から必要なログ情報１３を簡単に確認することができる。
【００７４】
（実施例３）
次に、シナリオ要求入力部２５及びトリガマーカ設定部２３の具体的動作を図９、図１０、図５を用いて説明する。この擬似基地局装置１を操作する被試験端末３の試験者は、図９に示す表示器６の表示画面のマーカ設定キー１２ｃを再々クリックすると、シナリオから呼び出し型のトリガマーカ設定画面３８がウインドウ表示される。被試験端末３の試験者は、このトリガマーカ設定画面３８の色選択部３２を用いて、ログ情報１３相互間に挿入するログ情報１３の一種としてのトリガマーカの色を指定する。また、前述したように、シナリオ要求入力部２５は、シナリオ（通信手順、試験手順）に書き込まれている「トリガマーカの挿入指示」、具体的には「ｃｏｍｍｅｎｔ」挿入指示を検出すると、トリガマーカの挿入指示をトリガマーカ設定部２３へ送出する。
【００７５】
すると、図５に示すように、シナリオ（通信手順、試験手順）に書き込まれている「トリガマーカの挿入指示」タイミング、図５においては、「３０４」の番号１５の次の位置に、トリガマーカ設定画面３８で指定された色のトリガマーカ３９が、ログ情報１３の一種として「３０５」の番号１５が付されて挿入される。このトリガマーカ３９のログ情報１３には、１つ目の「ｃｏｍｍｅｎｔ」のメッセージであることを示す「ｃｏｍｍｅｎｔ１」のメッセージが組込まれている。
【００７６】
図１０は、シナリオ要求入力部２５で設定されたシナリオに基づいてトリガマーカ３９のログ情報１３を各ログ情報１３相互間に挿入するときのこの擬似基地局装置１の全体の処理操作を示す流れ図である。
【００７７】
先ず、擬似基地局部８に「トリガマーカの挿入指示」が書き込まれているシナリオ（通信手順、試験手順）を設定（ロード）し、かつトリガマーカ３９の表示色を設定する（ステップＳ１００１）。
【００７８】
次に開始キー１２ａを押（クリック）して（Ｓ１００２）、トレース情報１４の取得を開始して（Ｓ１００３）、このトレース情報１４に含まれるログ情報１３を取得する。そして、表示器６の表示画面を更新する（Ｓ１００４）。このタイミングで、トリガマーカ設定部２３からトリガマーカの挿入指示が入力されると（Ｓ１００５）、「ｃｏｍｍｅｎｔ１」のメッセージが組込まれたトリガマーカ（マーカプリミティブ）３９のログ情報１３を先のログ情報１３の次に挿入して、表示器６の表示画面を更新する（Ｓ１００６）。
【００７９】
停止キー１２ｂが押（クリック）されないと（Ｓ１００７）、Ｓ１００４に戻り、次のログ情報１３を取得する。停止キー１２ｂが押（クリック）されると（Ｓ１００７）、ログ情報１３の取得を停止する（Ｓ１００８）。
【００８０】
このように、トリガマーカ３９の挿入位置を予めシナリオ（通信手順、試験手順）で設定可能である。
【００８１】
（実施例４）
次に、挿入指示入力部２４及びトリガマーカ設定部２３の具体的動作を図１１、図１２、図５を用いて説明する。この擬似基地局装置１を操作する被試験端末３の試験者は、図１１に示す表示器６の表示画面のマーカ設定キー１２ｃを再々クリックすると、挿入キー用のトリガマーカ設定画面４０がウインドウ表示される。被試験端末３の試験者は、このトリガマーカ設定画面４０の色選択部３２を用いて、ログ情報１３相互間に挿入するログ情報１３の一種としてのトリガマーカ４２の色を指定し、コメント入力部４１にトリガマーカ４２に書き込む例えば「ＩＮＳＥＲＴ」のコメントを文字入力する。複数回に亘ってトリガマーカ４２を挿入する場合は、コメントに連番を付すために、連番設定４１ａにチェックを入れる。連番設定４１ａにチェックを入れることで、トリガマーカが挿入される毎に、コメント入力部４１に設定されるコメントの後ろに順次更新される番号を付加する。これにより、何番目のコメントかを１目で識別できる。
【００８２】
すると、図５に示すように、例えば番号３１３のログ情報１３が検出されたタイミングで挿入キー１２ｄが押されると、「３１４」の番号１５の次の位置に、トリガマーカ設定画面４０で指定された「ＩＮＳＥＲＴ  １」のコメントが書き込まれ、指定された色のトリガマーカ４２が、ログ情報１３の一種として「３１５」の番号１５が付されて挿入される。
【００８３】
図１２は、挿入指示入力部２４において挿入キー１２ｄ操作に応じて、トリガマーカ４２のログ情報１３を各ログ情報１３相互間に挿入するときのこの擬似基地局装置１の全体の処理操作を示す流れ図である。
【００８４】
先ず、マーカ設定キー１２ｃをクリックして、上述した手法でトリガマーカ４２に書き込むべきコメント及び表示色を設定する（ステップＳ１２０１）。
【００８５】
次に開始キー１２ａを押（クリック）して（Ｓ１２０２）、トレース情報１４の取得を開始して（Ｓ１２０３）、このトレース情報１４に含まれるログ情報１３を取得する。そして、表示器６の表示画面を更新する（Ｓ１２０４）。このタイミングで、挿入キー１２ｄが押されると（Ｓ１２０５）、「ＩＮＳＥＲＴ  １」のメッセージが組込まれたトリガマーカ（マーカプリミティブ）４２のログ情報１３を先のログ情報１３の次に挿入して、表示器６の表示画面を更新する（Ｓ１２０６）。
【００８６】
停止キー１２ｂが押（クリック）されないと（Ｓ１２０７）、Ｓ１２０４に戻り、次のログ情報１３を取得する。停止キー１２ｂが押（クリック）されると（Ｓ１２０７）、ログ情報１３の取得を停止する（Ｓ１２０８）。
【００８７】
このように、任意のログ情報１３相互間に、任意のメッセージが組込まれたトリガマーカ（マーカプリミティブ）４２のログ情報１３を挿入できるので、目標とするログ情報１３、およびその近傍のログ情報をより簡単に把握できる。
【００８８】
（実施例５）
なお、同一のログ情報１３に複数のフィルタマーカ３５が重複付加されるとき、該当ログ情報１３のフィルタマーカ３５の表示色を重複したことが識別可能な表示色に自動変更される。図５においては、「３１７」〜「３２０」の番号１５の各ログ情報１３が、「３０２」、「３０７」の番号のログ情報１３と異なる色のフィルタマーカ６８が付加されている。
【００８９】
また、表示色を各フィルタマーカ３５に指定された各色をそのまま重複した混合色としてもよい。
【００９０】
このように、同一のログ情報１３に複数のフィルタマーカ３５が重複付加されるとき、該当ログ情報のフィルタマーカの表示色が重複したことが識別可能な色に変更されるので、より見やすくなる。
【００９１】
さらに、同一のログ情報１３に複数のフィルタマーカ３５が重複付加されるとき、図２７の参照テーブル７１に予め定められた優先度の高い表示色のフィルタマーカが当該ログ情報に付加されようにしてもよい。このようにすることによって、重要な種類の抽出情報に優先度の高い表示色を割り付けることによって、重要なログ情報１３を確実に認識できる。
【００９２】
なお、フィルタマーカ３５とトリガマーカ３９が重複記載される場合であっても、前述した内容と同様に表示することができる。
【００９３】
（実施例６）
次に、図２におけるログ情報並替部４３の動作を図１３の流れ図を用いて説明する。マーカ挿入部１１にてトリガマーカ３９、４２のログ情報１３が指定された位置に挿入され、フィルタマーカ付加部７０にてフィルタマーカ３５、３７が指定されたログ情報１３に付加されて表示された後に（Ｓ１３０１）、ログ情報１３の取得を停止キー１２ｂ操作で停止する（Ｓ１３０２）。
【００９４】
ＧＵＩ部４４を介して、ジャンプキー１２ｆのジャンプキー操作４５を検出すると（Ｓ１３０３）、トレース情報メモリ２６から読出されて表示器６に表示されるトレース情報１４における表示器６上の表示先頭位置を、最初にマーカ３５、３７、３９、４２が付されたログ情報１３に変更する（Ｓ１３０４）。例えば、図１４においては、「４２」の番号１５のトリガマーカ３９のログ情報１３が表示器６上の表示先頭位置にくる。
【００９５】
さらに、ジャンプキー１２ｆが操作されると（Ｓ１３０５）、表示器６上の表示先頭位置を、次にマーカ３５、３７、３９、４２が付されたログ情報１３に変更する（Ｓ１３０６）。このように、ジャンプキー１２ｆが操作される毎に、マーカ３５、３７、３９、４２が付されたログ情報１３が古い順に表示器６上の表示先頭位置に位置するように表示内容が順番に更新されていく。
【００９６】
このように、ジャンプキー１２ｆを操作する毎に、マーカ３５、３７、３９、４２が付されたログ情報１３が古い順に表示器６上の表示先頭位置に位置するように表示内容が順番に更新されていくので、試験実施者は目標とするマーカ３５、３７、３９、４２が付されたログ情報１３およびその近傍のログ情報１３を簡単に観察できる。
【００９７】
なお、ここではジャンプキー１２ｆを操作する毎に、マーカ３５、３７、３９、４２が先頭に表示されると説明したが、同一表示上にあるときは、対象のマーカをハイライト表示として画面上を移動してもよい。
【００９８】
（実施例７）
次に、図２におけるマーカ検出部４６は、トレース情報メモリ２６に記憶されたトリガマーカ３９、４２の各ログ情報１３と、マーカメモリ２２の参照テーブル７１に基づいてフィルタマーカ付加部７０でフィルタマーカ３５、３７が付された各ログ情報１３を抽出して、表示編集部２７を介して、図１６に示すように表示器６に表示出力する。さらに、マーカ検出部４６は、抽出したマーカ３５、３７、３９、４２が付された各ログ情報１３をマーカリスト作成部４７へ送出する。マーカリスト作成部４７は受領したマーカ３５、３７、３９、４２が付された各ログ情報１３のみの番号（シーケンス番号）１５とマーカ３５、３７、３９、４２が付された原因となる抽出情報等の説明５１とを、表示編集部２７を介して、図１７に示すように表示器６にトレースマーカリスト４８としてウインドウ表示する。トレースマーカリスト４８内にも、ジャンプ（Jump）キー４９ａ、検索(Find)キー４９ｂ、時間(Time)キー４９ｃ、保存(Save)キー４９ｄが設けられている。
【００９９】
マーカ検出部４６の動作を図１５の流れ図を用いて説明する。マーカ挿入部１１にてトリガマーカ３９、４２のログ情報１３が指定された位置に挿入され、フィルタマーカ付加部７０にてフィルタマーカ３５、３７が指定されたログ情報１３に付加されて表示された後に（Ｓ１５０１）、ログ情報１３の取得を停止キー１２ｂ操作で停止する（Ｓ１５０２）。
【０１００】
フィルタキー１２ｆが押されると（Ｓ１５０３）、表示器６の一般のログ情報１３とマーカ３５、３７、３９、４２が付された各ログ情報１３とが混合して表示されていた表示画面を、図１６に示すように、マーカ３５、３７、３９、４２が付された各ログ情報１３のみが時系列的に表示された表示画面に切り換える（Ｓ１５０４）。
【０１０１】
再度、フィルタキー１２ｆが押されると（Ｓ１５０５）、表示器６の表示画面を、一般のログ情報１３とマーカ３５、３７、３９、４２が付された各ログ情報１３とが混合して表示されていた元の表示画面に戻す（Ｓ１５０６）。
【０１０２】
このように、フィルタキー１２ｆを操作する毎に、マーカ３５、３７、３９、４２が付された各ログ情報１３のみが表示された表示画面と元の表示画面とが交互に変換されるので、試験実施者は各表示画面の各ログ情報１３を簡単に比較照合できる。
【０１０３】
（実施例８）
図２のログ情報検索部５０は、マーカリスト作成部４７で作成されたトレースマーカリスト４８内の指定された番号（シーケンス番号）１５のログ情報１３を表示器６上の表示先頭位置に位置するように表示器６の表示内容を変更する。
【０１０４】
例えば、図１９において、マーカリストキー１２ｇ操作によって、表示器６にトレースマーカリスト４８がウインドウ表示された状態において、トレースマーカリスト４８の「４２」の番号（シーケンス番号）１５を指定してジャンプキー４９ａを押すと、「４２」の番号（シーケンス番号）１５のトリガマーカ３９のログ情報１３が、表示器６上の表示先頭位置に位置するように表示器６の表示内容が自動的に変更される。
【０１０５】
ログ情報検索部５０の動作を図１８の流れ図を用いて説明する。マーカ挿入部１１にてトリガマーカ３９、４２のログ情報１３が指定された位置に挿入され、フィルタマーカ付加部７０にてフィルタマーカ３５、３７が指定されたログ情報１３に付加され表示された後に（Ｓ１８０１）、ログ情報１３の取得を停止キー１２ｂ操作で停止する（Ｓ１８０２）。
【０１０６】
マーカリストキー１２ｇが操作されると（Ｓ１８０３）、図１９に示すように、表示器６にトレースマーカリスト４８をウインドウ表示する（Ｓ１８０４）。トレースマーカリスト４８の番号（シーケンス番号）１５が指定され（Ｓ１８０５）、ジャンプキー４９ａが押されると（Ｓ１８０６）、番号（シーケンス番号）１５に対応するマーカ３５、３７、３９、４２が付されたログ情報１３が、表示器６上の表示先頭位置に位置するように表示器６の表示内容（トレース情報１４）を更新する（Ｓ１８０７）。
【０１０７】
再度、トレースマーカリスト４８の番号（シーケンス番号）１５が指定されると、番号（シーケンス番号）１５に対応するログ情報１３を表示器６上の表示先頭位置に表示する。
【０１０８】
このように、トレースマーカリスト４８の番号（シーケンス番号）１５を指定してジャンプキー４９ａ操作を行うことにより、マーカ３５、３７、３９、４２が付された多くのログ情報１３の中から目標とするログ情報１３を簡単に検索することが可能である。
【０１０９】
（実施例９）
図２のマーカ検索部５２は、マーカリスト作成部４７で作成されたトレースマーカリスト４８内の各説明５１を指定された文字情報（文字列）で検索して、指定された文字情報に一致する説明５１の番号１５を検索結果としてマーカリスト並替部５３へ送出する。マーカリスト並替部５３は、マーカリスト作成部４７で作成されたトレースマーカリスト４８の表示先頭位置に検索結果の番号１５および説明５１が位置するように、トレースマーカリスト４８の表示内容を更新して、ログ情報選択部５０へ更新終了を通知する。ログ情報選択部５０の動作は前述した通りである。
【０１１０】
例えば、図２１に示すように、マーカリストキー１２ｇ操作によって、表示器６にトレースマーカリスト４８がウインドウ表示された状態において、トレースマーカリスト４８の検索キー４９ｂを押すと、トレースマーカリスト検索画面５４がウインドウ表示される。そして、トレースマーカリスト検索画面５４に設けられた検索条件入力部５５に、例えば「comment 1」の文字情報（文字列）を入力すると、指定された文字情報に一致する「comment 1」の説明５１の「４２」の番号１５を検索結果５６内に表示する。
【０１１１】
この状態で、トレースマーカリスト検索画面５４に設けられたジャンプキー５７を押すと、トレースマーカリスト４８の表示先頭位置に検索結果の「４２」の番号１５および「comment 1」の説明５１が位置するように、トレースマーカリスト４８の表示内容が更新される。
【０１１２】
マーカ検索部５２、マーカリスト並替部５３、ログ情報選択部５０の動作を図２０の流れ図を用いて説明する。マーカ挿入部１１にてトリガマーカ３９、４２のログ情報１３が指定された位置に挿入され、フィルタマーカ付加部７０にてフィルタマーカ３５、３７が指定されたログ情報１３に付加され表示された後に（Ｓ２００１）、ログ情報１３の取得を停止キー１２ｂ操作で停止する（Ｓ２００２）。
【０１１３】
マーカリストキー１２ｇが操作されると（Ｓ２００３）、図１９に示すように、表示器６にトレースマーカリスト４８をウインドウ表示する（Ｓ２００４）。トレースマーカリスト４８内に設けられた検索キー４９ｂが押されると、図２１に示すように、トレースマーカリスト検索画面５４をウインドウ表示し、検索条件入力部５５に検索用の文字情報が入力されると（Ｓ２００５）、最終的に、マーカリスト並替部５３にて、トレースマーカリスト４８の表示先頭位置に検索結果の番号１５および説明５１が位置するように、トレースマーカリスト４８の表示内容を更新する（Ｓ２００６）。
【０１１４】
この状態で、トレースマーカリスト４８の番号（シーケンス番号）１５が指定され（Ｓ２００６）、ジャンプキー４９ａが押されると（Ｓ２００８）、番号（シーケンス番号）１５に対応するマーカ３５、３７、３９、４２が付されたログ情報１３が、表示器６上の表示先頭位置に位置するように表示器６の表示内容（トレース情報１４）を更新する（Ｓ２００９）。
【０１１５】
そして、マーカ３５、３７、３９、４２が付された別のログ情報１３を観察する場合は、Ｓ２００５へ戻る。
【０１１６】
このように、トレースマーカリスト４８に検索機能を付加することによって、マーカ３５、３７、３９、４２が付された多くのログ情報１３の中から目標とするログ情報１３をより簡単に検索することが可能である。
【０１１７】
（実施例１０）
図２の経過時間算出部５８は、マーカリスト作成部４７で作成されたトレースマーカリスト４８内の２つの番号（シーケンス番号）１５で特定されるマーカ３５、３７、３９、４２が付された２つのログ情報１３相互間の経過時間を算出して、表示器６に表示出力する。
【０１１８】
図２３に示すトレースマーカリスト４８が表示器６にウインドウ表示された状態において、例えば、「４２」と「２４３」との２つの番号（シーケンス番号）１５を指定して、時間キー４９ｃを押すと、「４２」と「２４３」との２つの番号（シーケンス番号）１５の各トリガマーカ３９のログ情報１３の各取得時刻２０を読み出し、各取得時刻２０間の経過時間５９を算出して、トレースマーカリスト４８内に表示する。
【０１１９】
経過時間算出部５８の動作を図２２の流れ図を用いて説明する。マーカ挿入部１１にてトリガマーカ３９、４２のログ情報１３が指定された位置に挿入され、フィルタマーカ付加部７０にてフィルタマーカ３５、３７が指定されたログ情報１３に付加され表示された後に（Ｓ２２０１）、ログ情報１３の取得を停止キー１２ｂ操作で停止する（Ｓ２２０２）。
【０１２０】
マーカリストキー１２ｇが操作されると（Ｓ２２０３）、表示器６に図２３に示すトレースマーカリスト４８をウインドウ表示する（Ｓ２２０４）。このトレースマーカリスト４８内から各マーカ３５、３７、３９、４２が付された２つのログ情報１３に対応する２つの番号（シーケンス番号）１５を指定して（Ｓ２２０５）、時間キー４９ｃを押すと（Ｓ２２０６）、指定した各マーカ３５、３７、３９、４２が付された２つのログ情報１３相互間の経過時間５９を算出して、トレースマーカリスト４８内に表示する（Ｓ２２０７）。
【０１２１】
このように、簡単な操作で２つのログ情報１３相互間の経過時間５９を確認できる。
【０１２２】
（実施例１１）
図２の指定マーカ間ログ情報記憶保持部６０は、マーカリスト作成部４７で作成されたトレースマーカリスト４８内の２つの番号（シーケンス番号）１５で特定されるマーカ３５、３７、３９、４２が付された２つのログ情報１３の間に存在する全てのログ情報１３を抽出して、ログ情報記憶部６１へ記憶保持する。
【０１２３】
例えば、図２５に示すように、マーカリストキー１２ｇ操作によって、表示器６にトレースマーカリスト４８がウインドウ表示された状態において、例えば、「４２」のセーブ（保存）開始番号１５と例えば、「２４３」のセーブ（保存）終了番号１５とを指定して、トレースマーカリスト４８の保存（Save）キー４９ｄを押すと、トレースデータセーブ画面６２がウインドウ表示される。そして、このトレースデータセーブ画面６２上でセーブ名（ファイル名）６３を入力して、「４２」のセーブ（保存）開始番号１５と「２４３」のセーブ（保存）終了番号１５とからなるセーブ範囲６４を確認して、保存（Save）キー６５を押すと、「４２」と「２４３」との２つの番号（シーケンス番号）１５に対応する各ログ情報１３の間に存在する全てのログ情報１３がログ情報記憶部６１へ記憶保持される。
【０１２４】
指定マーカ間ログ情報記憶保持部６０の動作を図２４の流れ図を用いて説明する。マーカ挿入部１１にてトリガマーカ３９、４２のログ情報１３が指定された位置に挿入され、フィルタマーカ付加部７０にてフィルタマーカ３５、３７が指定されたログ情報１３に付加され表示された後に（Ｓ２４０１）、ログ情報１３の取得を停止キー１２ｂ操作で停止する（Ｓ２４０２）。
【０１２５】
マーカリストキー１２ｇが操作されると（Ｓ２４０３）、表示器６に図２５に示すトレースマーカリスト４８をウインドウ表示する（Ｓ２４０４）。このトレースマーカリスト４８内から各マーカ３５、３７、３９、４２が付された２つのログ情報１３に対応する２つの番号（シーケンス番号）１５を指定して（Ｓ２４０５）、保存キー４９ｄを押すと（Ｓ２４０６）、トレースデータセーブ画面６２を表示する（Ｓ２４０７）。セーブ名（ファイル名）６３が入力され、保存（Save）キー６５が押されると、各ログ情報１３の間に存在する全てのログ情報１３をログ情報記憶部６１へ記憶保持する（Ｓ２４０８）。
【０１２６】
このように、マーカ３５、３７、３９、４２が付された任意の２つのログ情報１３の間に存在する全てのログ情報１３をログ情報記憶部６１へ記憶保持することが可能であるので、異常発生時の原因究明を短時間で実施できる。
【０１２７】
また、図示しないが、ログ情報記憶部６１へ記憶保持されたログ情報１３は読み出し（ロード）て、表示できることは言うまでもない。
【０１２８】
なお、本発明は、上述した実施形態に限定されるものではない。図２６に示すように、外部装置５と被測定端末３とを信号線６６で接続し、外部装置５は、外部装置５と擬似基地局装置１との間で送受信される通信情報の信号波形６７を検出して、表示出力するタイミングに合わせて、外部装置５からトリガマーカ挿入要求を擬似基地局装置１へ送出することも可能である。
【図面の簡単な説明】
【０１２９】
【図１】本発明の一実施形態に係わる擬似基地局装置のマーカ表示方法が適用される擬似基地局装置の接続図
【図２】同擬似基地局装置の概略構成を示すブロック図
【図３】同擬似基地局装置と被試験端末との間で送受信される通信情報のログ情報の構成を示す図
【図４】同擬似基地局装置における擬似基地局部のソフト的な階層構成を示す図
【図５】同擬似基地局装置における表示器の表示内容を示す図
【図６】同擬似基地局装置におけるフィルタマーカ設定画面を示す図
【図７】同じく同擬似基地局装置におけるフィルタマーカ設定画面を示す図
【図８】同擬似基地局装置におけるフィルタマーカ設定操作を示す流れ図
【図９】同擬似基地局装置におけるトリガマーカ（シナリオ）設定画面を示す図
【図１０】同擬似基地局装置におけるトリガマーカ（シナリオ）挿入処理操作を示す流れ図
【図１１】同擬似基地局装置におけるトリガマーカ（外部指定）設定画面を示す図
【図１２】同擬似基地局装置におけるトリガマーカ（外部指定）挿入処理操作を示す流れ図
【図１３】同擬似基地局装置におけるジャンプ処理操作を示す流れ図
【図１４】同擬似基地局装置におけるジャンプ処理操作された時点における表示器の表示内容を示す図
【図１５】同擬似基地局装置におけるマーカ選択ログ表示処理操作を示す流れ図
【図１６】同擬似基地局装置におけるマーカ選択ログ表示処理操作された時点における表示器の表示内容を示す図
【図１７】同擬似基地局装置における表示器にウインドウ表示されたトレースマーカリストを示す図
【図１８】同擬似基地局装置におけるトレースマーカリストを用いたジャンプ処理操作を示す流れ図
【図１９】同擬似基地局装置におけるトレースマーカリストを用いたジャンプ処理操作された時点における表示器の表示内容を示す図
【図２０】同擬似基地局装置におけるトレースマーカリストを用いた別のジャンプ処理操作を示す流れ図
【図２１】同擬似基地局装置におけるトレースマーカリストを用いた別のジャンプ処理操作された時点における表示器の表示内容を示す図
【図２２】同擬似基地局装置における経過時間算出処理操作を示す流れ図
【図２３】同擬似基地局装置における経過時間算出処理操作された時点における表示器の表示内容を示す図
【図２４】同擬似基地局装置におけるログ情報記憶保持操作を示す流れ図
【図２５】同擬似基地局装置におけるログ情報記憶保持操作された時点における表示器の表示内容を示す図
【図２６】本発明の他の実施形態を示す模式図
【図２７】本発明の実施形態の擬似基地局装置におけるマーカメモリ内に作成された参照テーブルを示す図
【符号の説明】
【０１３０】
１…擬似基地局装置、２，４，６６…信号線、５…外部装置、６…表示器、７…操作部、８…擬似基地局部、９…ログ情報検出部、１１…マーカ挿入部、１２ａ…開始（Start）キー、１２ｂ…停止（Stop）キー、１２ｃ…マーカ設定（Marker Setup）キー、１２ｄ…挿入（Insert）キー、１２ｅ…ジャンプ（Jump）キー、１２ｆ…フィルタ（Filter）キー、１２ｇ…マーカリスト（Marker List）キー、１３…ログ情報、１４…トレース情報、１５…番号、１６…プリミティブ情報、１７…プリミティブ種別、１８…チャネル種別、１９…メッセージ種別、２０…取得時刻、２１…フィルタマーカ設定部、２３…トリガマーカ設定部、２４…挿入要求部、２５…シナリオ要求入力部、２６…トレース情報メモリ、２７…表示編集部、２９，３３…フィルタマーカ設定画面、３５，３７…フィルタマーカ、３８，４０…トリガマーカ設定画面、３９，４２…トリガマーカ、４３…ログ情報並替部、４６…マーカ検出部、４７…マーカリスト検出部、４８…トレースマーカリスト、５０…ログ情報選択部、５２…マーカ検索部、５３…マーカリスト並替部、５４…トレースマーカリスト検索画面、６０…指定マーカ間ログ情報記憶保持部、６１…ログ情報記憶部、６２…トレースデータセーブ画面、７０…フィルタマーカ付加部、７１…参照テーブル
【図１】
2006174173.tif 000003
【図２】
2006174173.tif 000004
【図３】
2006174173.tif 000005
【図４】
2006174173.tif 000006
【図５】
2006174173.tif 000007
【図６】
2006174173.tif 000008
【図７】
2006174173.tif 000009
【図８】
2006174173.tif 000010
【図９】
2006174173.tif 000011
【図１０】
2006174173.tif 000012
【図１１】
2006174173.tif 000013
【図１２】
2006174173.tif 000014
【図１３】
2006174173.tif 000015
【図１４】
2006174173.tif 000016
【図１５】
2006174173.tif 000017
【図１６】
2006174173.tif 000018
【図１７】
2006174173.tif 000019
【図１８】
2006174173.tif 000020
【図１９】
2006174173.tif 000021
【図２０】
2006174173.tif 000022
【図２１】
2006174173.tif 000023
【図２２】
2006174173.tif 000024
【図２３】
2006174173.tif 000025
【図２４】
2006174173.tif 000026
【図２５】
2006174173.tif 000027
【図２６】
2006174173.tif 000028
【図２７】
2006174173.tif 000029